(57)【要約】  照明グループを用いて複数の光源を制御し、それぞれの照明グループは前記複数の光源のサブセットを同期して制御するシステムであって：中央コントローラと；前記中央コントローラに配線された複数の光源と；前記中央コントローラに配線された照明センサと；を有するシステムが提供される。前記中央コントローラは：前記照明センサから測定信号を受信し；前記の受信された測定信号に基づいて、前記照明センサと光学的に接触する光源のサブセットを決定し；さらに前記照明センサと関連する照明グループに前記光源のサブセットを含める；よう構成される。
2012524959.tif 000002
【特許請求の範囲】
【請求項１】
照明グループを用いて複数の光源を制御し、それぞれの照明グループは前記複数の光源のサブセットを同期して制御するシステムであって：
中央コントローラと；
前記中央コントローラに配線された複数の光源と；
前記中央コントローラに配線された照明センサと；
を有し、
前記中央コントローラは：
前記照明センサから測定信号を受信し；
前記の受信された測定信号に基づいて、前記照明センサと光学的に接触する光源のサブセットを決定し；さらに
前記照明センサと関連する照明グループに前記光源のサブセットを含める；
よう構成される、システム。
【請求項２】
前記光源のサブセットは、前記照明センサと光学的に接触する全ての光源を含む、
請求項１に記載のシステム。
【請求項３】
前記中央コントローラは、特定の光源により放出される光の光特性により、前記特定の光源を特定するよう構成される、
請求項１又は２に記載のシステム。
【請求項４】
前記光特性は、光強度の変化である、
請求項３に記載のシステム。
【請求項５】
前記中央コントローラは、前記光強度の変化を得るために、前記光源のスイッチをオン及びオフにするよう構成される、
請求項４に記載のシステム。
【請求項６】
前記中央コントローラは、他の光源のスイッチがオフである間、それぞれの光源のスイッチを順番にオン及びオフするよう構成される、
請求項５に記載のシステム。
【請求項７】
前記中央コントローラは、強度変調を用いて個々の光源を特定するよう構成される、
請求項３に記載のシステム。
【請求項８】
前記光源のサブセットは、特定の光源の種類のみを含む、
請求項１乃至７何れか一項に記載のシステム。
【請求項９】
前記中央コントローラは、スペクトル寄与率（spectral  contribution）、色又は白色点からなるグループから選択される、少なくとも一つの光特性を用いて特定の光源の種類を特定するよう構成される、
請求項１乃至８何れか一項に記載のシステム。
【請求項１０】
前記照明センサ及び起動装置は、結合された筐体の中に配置される、
請求項１乃至９何れか一項に記載のシステム。
【請求項１１】
前記起動装置は手動スイッチである、
請求項１０に記載のシステム。
【請求項１２】
前記中央コントローラは、所定の場合において照明グループを作るための手順を自動的に起動する、
請求項１乃至１１何れか一項に記載のシステム。
【請求項１３】
前記照明グループを作るための手順は、前記照明センサにより検知される明るさのレベルが所定の値より低くなるまで遅延される、
請求項１２に記載のシステム。
【請求項１４】
前記照明グループを作るための手順は、動作検出器が人がいないことを検出している時間が所定の時間経過するまで遅延される、
請求項１２又は１３に記載のシステム。
【請求項１５】
前記中央コントローラは、前記中央コントローラに接続された全ての光源を含む、予めプログラムされたデフォルトの照明グループを有する、
請求項１乃至１４何れか一項に記載のシステム。
【発明の詳細な説明】
【技術分野】
【０００１】
本発明は、中央コントローラを用いて複数の光源を制御するためのシステムに関する。
【背景技術】
【０００２】
照明制御システムは、オフィス、学校又は病院のような環境において、照明器具を制御するために利用されることができる。照明制御システムの一例は、Philips社のLightMaster  Modularである。LightMaster  mudularは、光源、手動スイッチ、動作センサ及び光センサが、その照明を制御するために用意された中央コントローラに接続される、“ビルディングブロック（building  block）”のコンセプトを有する。照明制御システムの別の例は、国際公開第２００７／０９５７４０号において開示される。該照明制御システムにおいては、光源と遠隔検出装置が、有線ネットワークを通じてコントローラに接続される。
【発明の概要】
【発明が解決しようとする課題】
【０００３】
効率的な照明制御を可能にするために、照明グループを作ることが望ましい。それぞれの照明グループは、同期して制御され得る照明器具のサブセットを含む。例えば、特定の部屋又はその一部における全ての光源は、一つの照明グループを形成することができる。したがって、動作センサがその特定の部屋で人の存在を検知したとき、中央コントローラは、その部屋の照明器具のスイッチを入れることにより応答することができる。従来の照明制御システムにおいて、照明グループは典型的に、配線によって固定されるか、又はコントローラに明示的にプログラムされている。しかしながら、このことは、しばしば時間を浪費し、融通が利かない手順である可能性がある。したがって、より柔軟な解決策が必要である。特に、部屋の使用及び／又は部屋の仕切りが頻繁に変わるとき、より柔軟な解決策が必要である。
【課題を解決するための手段】
【０００４】
上記の点に照らして、本発明の一つの目的は、上で議論した問題を少なくとも緩和することである。特に、一つの目的は、同期して制御されるべき光源を自動的にグループ分けする照明制御システムを提供することである。
【０００５】
本発明の一実施形態によれば、照明グループを用いて複数の光源を制御し、それぞれの照明グループは前記複数の光源のサブセットを同期して制御するシステムであって：中央コントローラと；前記中央コントローラに配線された複数の光源と；前記中央コントローラに配線された照明センサと；を有するシステムが提供される。前記中央コントローラは：前記照明センサから測定信号を受信し；前記の受信された測定信号に基づいて、前記照明センサと光学的に接触する光源のサブセットを決定し；さらに前記照明センサと関連する照明グループに前記光源のサブセットを含める；よう構成される。光学的な接触とは、前記照明センサが前記光源により放出される光を検知することであるとここでは理解される。
【０００６】
本発明は、同期して制御されるべき光源が、一人の人間によって同時に認識され得る光源であるという一般的な傾向があるという理解に基づく。発明者は、認識される光源が人間と光学的に接触する光源であるため、それらは適切に配置されたセンサと光学的に接触するものであることもさらに理解している。したがって、同期して制御されるべき光源のサブセットを特定するための都合の良い方法は、照明センサを利用することである。
【０００７】
光源のサブセットは、照明センサと光学的に接触する全ての光源を含むことができる。結果として、もたらされる照明グループは一般的に、同期された照明制御に適合する、一つの部屋又は多かれ少なかれいくぶん離れた他の場所に、対応する。
【０００８】
さらに、中央コントローラは、特定の光源により放射される光の光特性（light  property）によって、その特定の光源を特定するよう構成されることができる。光特性は、光強度（light  intensity）の変化であり得る。ここでの利点は、光強度は、従来の光束センサを用いて測定されることができるので、コスト面で効率の良い解決策を可能にすることである。
【０００９】
さらに、中央コントローラは、前記光強度の変化を得るために、光源のスイッチをオン及びオフにするよう構成されることができる。
【００１０】
一実施形態において、中央コントローラは、他の光源のスイッチがオフである間、それぞれの光源のスイッチを順番にオン及びオフするよう構成されることができる。このことは、個々の光源を特定できる、単純かつコスト面で効率の良い方法を可能にする。
【００１１】
別の実施形態によると、中央コントローラは、強度変調を用いて個々の光源を特定するよう構成されることができる。ここで関連する利点は、ある特定の光源が、複数の光源のスイッチが同時にオンであるときでも、特定できることである。
【００１２】
本発明の一実施形態によると、光源のサブセットは、特定の光源の種類のみを含むことができる。利点は、中央コントローラが、一つ以上の特定の光源の種類に制限される光源グループを作ることができることである。中央コントローラは、次に、プログラムされた命令の適切なセット（例えば、存在の検出にどのように反応すべきか、存在による遅延（presence  delay）はどの程度であるべきか、のような）を照明グループに自動的に割り当てることができる。さらに、中央コントローラは、スペクトル寄与率（spectral  contribution）、色又は白色点のグループから選択される、少なくとも一つの光特性を用いて光源の特定の種類を特定するよう構成されることができる。光源の異なる種類の例は、HIDベースのランプ、ハロゲンベースのランプ及び蛍光灯ランプである。本発明のこの形態、すなわち種類に基づく光源の特定及びグループ分けを行う形態は、他の形態と独立して有意に適用されることができる。例えば、配線により直接取り付けられる照明センサ及び光源を有する中央コントローラに限られず、例えば無線接続を有するシステム並びに／又は様々な種類のネットワークを通じた照明センサ及び光源に接続されるコントローラを有するシステムのために利用されることもできる。
【００１３】
一実施形態によれば、照明センサ及び起動装置は、結合された筐体の中に配置されることができる。さらに、照明センサ及び起動装置は、共通の（すなわち、同一の）配線により中央コントローラへと接続されることができる。配線は、照明センサ及び起動装置の両方を中央コントローラへ接続する単一のプラグも有する。利点は、照明センサ及び起動装置の間に固有の関連が存在することである。
【００１４】
ここでの起動装置は、例えば、（ユーザによって操作されることのできる）手動スイッチ又は動作センサのような、照明グループの有効化を引き起こすように配置される装置を示す。しかしながら、照明センサは、例えば次のような場合に照明グループを有効にする。その場合とは、ある部屋において、いくつかの光源が、人が存在によらず、日光が不十分であるときはいつでもスイッチをオンにされることを要求される場合である。
【００１５】
中央コントローラは、所定の場合において照明グループを作るための手順を自動的に起動するよう構成されることができる。少なくとも一つの所定の場合とは、新たに設置されたシステムの起動中又は（例えば、手順が毎夜に起動されるような）定期的な間隔であり得る。
【００１６】
照明グループを作る手順は、照明センサの飽和（saturation）を避け、改善された正確性を提供するために、照明センサにより検知された明るさのレベル（light  level）が所定値より低いときにのみ、好ましくは起動されることができる。さらに、照明グループを作る手順は、所定の時間（例えば、一時間）、動作検出器により人の存在が検出されないときにのみ、好ましくは起動されることができる。
【００１７】
一実施形態によれば、中央コントローラは、中央コントローラに接続された全ての光源を含む、予めプログラムされたデフォルトの照明グループを有することができる。デフォルトの照明グループは、例えば、照明グループを作る手順がまだ実行されていないような新たに設置されたシステムのために、あるいは照明グループを作る手順が成功しない場合に、有益であり得る。
【００１８】
他の目的、特徴及び利点は、添付されるクレーム及び図面に基づいて、以下の詳細な説明により明らかとなる。
【００１９】
本発明の上記特徴及び利点及びさらなる目的は、添付される図面への参照とともに、以下の例示的かつ限定的でない、本発明の望ましい実施形態についての詳細な説明を通じて、よりよく理解される。ここで、同一の参照番号は、同一の要素のために用いられる。
【図面の簡単な説明】
【００２０】
【図１】本発明の一実施形態による照明制御システムを概略的に表す図。
【図２】３つの部屋を有する環境に設置された、図１における照明制御システムを概略的に表す図。
【図３】本発明の一実施形態による照明グループを作るための手順を説明する略ブロック図。
【図４】可動パーティションを用いて２つに分けることのできる部屋に設置された、図１における照明制御システムを概略的に表す図。
【図５】パーティションが開かれているか又は閉じられているかを検出する手順を説明する略ブロック図。
【発明を実施するための形態】
【００２１】
図１は、本発明の一実施形態による照明制御システム１００を概略的に表す。
【００２２】
照明制御システム１００は、中央コントローラ１０２、複数の光源１０４ａ−ｆ、照明センサのセット１０６ａ−ｃ及び起動装置１０８ａ−ｃのセットを含む。光源１０４は、HIDベースのランプ、ハロゲンベースのランプ及び／又は蛍光灯ランプのような従来の照明器具であり得る。光源１０６ａ−ｃは、光強度を測定するための光束センサである。しかしながら、他のより高度な照明センサが、他の光特性を測定できるよう用いられてもよい。起動装置１０８ａ−ｃは、例えば動作検出器又はユーザによって操作可能な手動スイッチであり得る。光源１０４ａ−ｆ、照明センサ１０６ａ−ｃ及び起動装置１０８−ｃは、配線された接続によって中央コントローラに直接取り付けられている。さらに、中央コントローラ１０２は、処理ユニット及び照明を制御するためのソフトウェアを有する。中央コントローラは、ユーザによる明示的なプログラムを可能にするためのユーザインターフェース（図示されない）へ接続されることもできる。さらに、中央コントローラ１０２は、リレー又は半導体スイッチを用いて、それぞれの光源のスイッチを全てオフにすることができ、待機時消費電力を削減することができる。
【００２３】
複数の光源の同期制御を可能にするために、光源は、光源のサブセットを含む照明グループへと配置されることができる。光源がどの特定の照明グループに属するかについての情報は、中央コントローラのメモリに保管される。
【００２４】
照明グループを作る手順は、コミッショニング（commissioning）手順として示され、固定された配線か、中央コントローラの明示的なプログラムにより、手動でなされることができる。コミッショニング手順は、自動であってもよい。そのような自動的なコミッショニング手順は、手動により、又は自動により開始されることができる。例えば、自動コミッショニング（auto-commissioning）は、システムの起動中に、及び／又は例えば毎日若しくは毎週のような定期的な間隔で、自動的に起動されてもよい。好ましくは、自動コミッショニングは、定義された時間（例えば、一時間）、動作検出器により人が検出されておらず、照明センサがプリセットされた閾値（十分に低い日光レベルを保証する）より低い明るさのレベルを検出したとき、起動される。
【００２５】
新しく設置されたシステムのための、自動コミッショニングを抑制するための中央コントローラ上のスイッチが存在し得る。中央コントローラが、起動装置と光源とのいかなる関連も認識しない状態を避けるために、デフォルトの照明グループが存在し得る。デフォルトの照明グループは、中央コントローラに接続された全ての光源を含み、利用可能な起動装置の全てにより操作されることができる。デフォルトの照明グループは、したがって、コミッショニングが完了するまで用いられることができる。
【００２６】
本発明の一実施形態による自動コミッショニング手順は、図２及び図３への参照とともに説明される。
【００２７】
図２は、３つの部屋を有する環境に設置された、図１における照明制御システムを概略的に表す。中央コントローラ１０２は、複数の部屋のうち一つの天井に取り付けられる。ここで、それぞれの部屋は、２つの光源１０４ａ−ｆ、１つの照明センサ１０６ａ−ｃ及び１つの起動装置１０８ａ−ｃを有する。それぞれの起動装置は、それぞれの照明センサに隣接して配置される。照明センサと起動装置との間の関連（すなわち、どの照明センサとどの起動装置とが同一の部屋に属するか）は、配線によって固定され得る。ここで、照明センサ１０６ａは起動装置１０８ａと関連し、照明センサ１０６ｂは起動装置１０８ｂと関連し、照明センサ１０６ｃは起動装置１０８ｃと関連する。設置を容易にするために、これらの関連は、照明センサ及び起動装置に関連する共通の色でマークを付された中央コントローラ上の接続点を有することにより、直感的になされ得る。さらに、それぞれの照明センサと関連する起動装置は同一の筐体の中に設置されることができ、共通のプラグにより中央コントローラに接続される共通の配線により中央コントローラへ接続されることにより、照明センサと起動装置との間の関連は、固有なものとされる。
【００２８】
関連する照明センサ及び起動装置の明示的な配線は、ほとんどの場合には起動装置より光源がより多く存在するため、柔軟性に対して典型的にほとんど有害ではない。また、起動装置あたりの光源の数は、前もって知ることができない。照明センサと起動装置との関連は配線によって固定されているが、代わりに、例えばシステムが設置されるとき、明示的にプログラムすることにより、中央コントローラのメモリに保管されることができる。
【００２９】
図３は、本発明の一実施形態による自動的なコミッショニング手順を説明する略ブロック図である。
【００３０】
ステップ３０１において、全ての光源は、中央コントローラによりスイッチをオフにされる。
【００３１】
次に、ステップ３０２において、中央コントローラは、それぞれの照明センサから測定信号を受信する。それぞれの測定信号は、照明センサにより検知される光強度を示す。この光強度は、照明センサの初期の光強度値として中央コントローラのメモリに保管される。
【００３２】
ステップ３０３において、光源の一つは、中央コントローラによりスイッチをオンにされる（他の光源はスイッチをオフにされたままである）。
【００３３】
ステップ３０４において、中央コントローラは、それぞれの照明センサから新たな測定信号を受信する。それぞれの照明センサについて、新たな測定信号により示された現在の光強度は、中央コントローラのメモリに保管される、対応する初期の光強度値と比較される。現在の光強度と初期の光強度値との間の差が所定の閾値を超えている場合、このことは、照明センサが、有効化された光源により放射される光を検知したことを示し、したがって、その有効化された光源は、その照明センサと光学的に接触していると決定される。現在測定された光強度と初期の光強度値との間の差が所定の閾値を超えない照明センサについては、その光源はその照明センサと光学的に接触しないとみなされる。
【００３４】
所定の閾値は、ノイズ及び他の外乱の影響を減らすために選択される。当業者であれば認識するように、所定の閾値は、例えば背景照明（例えば、日光）、照明センサの感度、光源により放出される光の強さ及び照明センサと光源との間の距離のような要因の変動に依存する。自動コミッショニング手順の正確さを改善するために、窓のシャッターが下りているとき、あるいはこの自己学習手順を妨げる外部照明が最小となるよう取り計らわれる何かほかの方法を用いる場合に、都合が良い。
【００３５】
ステップ３０５において、有効な光源とそれぞれの照明センサとの間の関連が、中央コントローラのメモリに保管される（すなわち、光源がその照明センサと光学的に接触しているかどうかを保管する）。
【００３６】
ステップ３０６において、有効な光源のスイッチがオフにされる。
【００３７】
次に、ステップ３０３乃至３０６は、光源と照明センサとの間の関連が全ての光源について検証されるまで、他の光源について繰り返される。
【００３８】
次に、ステップ３７０において、照明グループが決定される。この実施形態において、一つの特定の照明センサと光学的に接触する全ての光源は、一つの照明グループを形成する。照明グループは、中央コントローラのメモリの中に保管され、中央コントローラは、ある特定の照明グループの中の全ての光源を同期して制御することができる。
【００３９】
図２の環境において設置される照明制御システムについて、もたらされる光源と照明センサとの間の関連は、下の表で示される。ここで、“Ｘ”は、照明センサと光源とが光学的に接触し、したがって同一の部屋に存在することを示している。
【００４０】
【表１】
2012524959.tif 000003
したがって、ここでは、光源１０４ａ−ｂは、部屋２０１と起動装置１０８ａとに関連する第一の照明グループに含まれ、光源１０４ｃ−ｄは、部屋２０２と起動装置１０８ｂとに関連する第二の照明グループに含まれ、光源１０４ｅ−ｆは、部屋２０３と起動装置１０８ｃとに関連する第三の照明グループに含まれる。
【００４１】
さらに、自動のコミッショニングの結果は、手動による修正を可能にするために、ユーザインターフェースを通して読み取り可能であり得る。。例えば、ユーザは、第一の照明グループと第二の照明グループとを組み合わせることができ、それによってそれらを常に同時に操作でき、あるいは一方を操作することにより他方をも起動できる。このことは、例えば、照明グループが互いに隣接しているとき、及び第一及び第二の照明グループによりカバーされる場所の間で人が頻繁に入れ替わるときに、都合が良い可能性がある。
【００４２】
また、光源と照明センサとの間に関連を発見することができない場合（例えば、日光の度合いがとても高く、光源のスイッチがオンになっても光強度の変化が検出できない場合）、中央コントローラ１０２は、自動的に非コミッションモード（non-commissioned  mode）になる。非コミッションモードでは、全ての光源１０４ａ−ｆは、あらゆる起動装置１０８ａ−ｃにより同期して操作される。
【００４３】
別の実施形態によれば、照明制御システムは、１つの部屋を２つの小さな部屋に分けるために用いられる可動パーティションが存在するかどうかを検出するよう構成されることができる。
【００４４】
図４は、可動パーティションを用いて２つに分けることのできる部屋に設置された、図１における照明制御システムを概略的に表す。ここで、可動パーティションが開かれている場合には、それぞれの起動装置１０８ａ、ｂは、部屋の区分４０１、４０２両方の中の光源を制御すべきである。ところが、可動パーティションが閉じられている場合には、それぞれの起動装置１０８ａ、ｂは、その起動装置と同一の部屋の区分の中に配置された光源のみを制御すべきである（すなわち、起動装置１０８ａは、光源１０４ａ−ｂを制御すべきである一方で、起動装置１０８ｂは、光源１０４ｃ−ｄを制御すべきである。）。
【００４５】
ここで、パーティション４０３の存在は、図５に関して以下の説明にしたがって検出することができる。
【００４６】
まず、ステップ５０１において、全ての光源は、中央コントローラによってスイッチをオフにされる。
【００４７】
次に、ステップ５０２において、第一の部屋の区分４０１の中の全ての光源１０４ａ−ｂは、中央コントローラによりスイッチをオンにされる（第二の部屋の区分４０２の中の光源１０４ｃ−ｄはスイッチをオフにされたままである）。
【００４８】
ステップ５０３において、中央コントローラは、それぞれの照明センサ１０６ａ−ｂから測定信号を受信する。それぞれの測定信号は、照明センサにより検知されるような光強度を示す。
【００４９】
ステップ５０４において、中央コントローラは、第一の部屋の区分４０１の照明センサにより検知された光強度と、第二の部屋の区分４０２の照明センサにより検知された光強度とを比較する。光強度の差が所定の閾値を超えている場合、可動パーティション４０３は閉じていると決定され、そうでなければ可動パーティション４０３は開かれていると決定される。当業者に認識されるように、所定の閾値は環境に依存する。上で説明した手順の利点は、可動パーティションが開かれているか閉じられているかを知らせる特定のスイッチが不要であることである。
【００５０】
別の実施形態によれば、可動パーティションの存在は、両方の部屋の区分の全ての光源のスイッチをオンにし、第一の部屋の区分４０１の照明センサ１０６ａにより検知される光強度を、中央コントローラのメモリに保管される、予期される光強度値と比較することによって検出することができる。検知された光強度が、予期される光強度値を超えている場合には、中央コントローラは可動パーティションが開かれていると決定し、そうでない場合には閉じられているとみなす。予期される光強度値は、例えば、可動パーティションが開かれ、全ての光源のスイッチがオンになっている間に光強度を測定することにより、設置している間に決定できる。代わりに、中央コントローラは、まず第一の部屋の区分の全ての光源のスイッチをオンにし（第二の部屋の区分の光源のスイッチがオフの間）、次に第二の部屋の区分の全ての光源のスイッチをオンにし（第一の部屋の区分の光源のスイッチがオフの間）、両方の場合にそれぞれの区分の照明センサにより検知される明るさのレベルが閾値を超えたままであるかを測定する。そうであれば、可動パーティションが開かれていることを示す。このことは、周囲に多数の光が存在するとき、照明センサで発生する飽和効果（saturation  effect）を減らすことにより、より良い正確さを提供することができる。
【００５１】
さらに別の実施形態によれば、中央コントローラは、強度変調により生成される識別子を用いて個々の光源を特定するよう構成される。識別子を生成するために、光源により放出される光は、時間に関して強度又は色又はスペクトル成分で変調されることができる。強度変調は、そのようなわずかな差異及び／又は人間の目では認識できない変化である、とても高い変調周波数とともに、好ましくは実行され得る。識別子は照明センサにより検知され、次に中央コントローラにより復調されることができる。さらに、変調方式は、全ての光源が同期して変調されるときでも、それぞれの個々の識別子の検出を可能にする、直交パターン（orthogonal  pattern）を用いるように選択されることができる。利点は、自動コミッショニング手順の間に同一の部屋の光源の識別子が並列に読み込まれ得るため、複数の光源が同期してスイッチをオンにされ得ることである。
【００５２】
さらに別の実施形態によれば、中央コントローラは、スペクトル寄与率、白色点及び／又は色点（colour  point）を測定することにより、様々な光源の種類を特定するよう構成される。これは、光源の温度が安定する前に、典型的に発生する固有のスペクトル又は特有の準備期間（run  up）の色点の変化に基づいて、様々な光源の種類を特定するための経験則（heuristics）を用いることにより達成され得る。例えば、蛍光灯ランプは、低い光束から始まり、ランプの中の温度が高まるとともに、徐々に増加する。ランプが温まるにつれ、色点も変化する。この準備期間の振る舞いにより、蛍光灯ランプは、常に暖かい白色であり、すぐに最大の光束で始まるハロゲンランプと区別され得る。さらに、HIDベースのランプの準備期間はさらに長く、典型的にはおよそ３０秒である。したがって、HDIベースのランプも、特有の準備期間の振る舞いを有する。HIDベースのランプの他の固有の特徴は、スイッチがオフにされて直ちに再起動されるべき再点火時間がとても長い（数分）ことである。
【００５３】
照明のポリシーは、コミッショニング手順の一部としてしばしば作られる。照明のポリシーは、一般的に、異なる光源に異なる役割を与える。例えば、照明ポリシーは、人がいないときにどの光源が動作し続けるかを決定し得る。役割の種類は、当該光源の種類と一般的に関連する。例えば、照明のポリシーは、以下のように規定し得る：
−とても効率の良いHIDベースのランプは、再起動がとても遅く、典型的には約10分かかるため、スイッチをオンにしたままにすべきである。ただし、照明を必要としない、日光がとても強いときを除く。
−蛍光灯ランプは、人がいない場合には、長い遅延の後にスイッチをオフにされるべきである。
−容易に再起動し、大きな電力を消費するハロゲンランプは、人がいない場合には、短い遅延とともにスイッチをオフにされるべきである。
【００５４】
したがって、光源の種類を特定することにより、中央コントローラは、特定の光源の種類のみを含む照明グループを自動的に作ることができる。中央コントローラは、次に、予めプログラムされた命令のセット（例えば、存在を検知するとどのように応じるべきか、及び存在の遅延はどの程度の長さであるべきか）を、得られた照明グループに割り当てることができる。
【００５５】
別の実施形態において、異なる光源の種類は、用いられるランプドライバ（lamp  driver）により生じるいくらかの光束変化周波数（flux  variation  frequency）（５０／１００Hz又はkHz範囲）に基づいて特定されることができる。
【００５６】
さらに別の実施形態によれば、中央コントローラは、通常の操作の間（すなわち、自動コミッショニング手順の間でない）、光源のスイッチがオン及びオフにされたときの光強度の変化を監視する。中央コントローラは、次に、検出された光強度の変化を、メモリ内に保管された、期待される光強度の変化を示す値と比較する。これにより、部屋のレイアウトの変化及び／又は光源の故障を自動的に検出できる。中央コントローラは、次に、自動コミッショニング手順を、例えば次の夜にスケジュールすることができる。
【００５７】
本発明は、少数の実施形態への参照とともに、上で主に説明されている。しかしながら、当業者により容易に理解されるように、上で開示された以上の他の実施形態が、添付されるクレームにより定義されるように、本発明の範囲内で等しく考えられ得る。
【図１】
2012524959.tif 000004
【図２】
2012524959.tif 000005
【図３】
2012524959.tif 000006
【図４】
2012524959.tif 000007
【図５】
2012524959.tif 000008
【国際調査報告】
2012524959.tif 000009
2012524959.tif 000010